(57)【要約】【課題】使用に制限が設けられているコンテンツデータに対し、その使用に係る装置の状態や適切な操作手順をユーザーに提供することができるようにする。【解決手段】印刷指示がなされると、指定されたコンテンツデータの管理情報における現在の「印刷回数」と「最大印刷回数」とを比較する（Ｓ５０４）。ここで、現在の印刷回数が未だ最大印刷回数に達していない場合は印刷可と判断して、印刷処理を行う（Ｓ５０５）。一方、現在の印刷回数が最大印刷回数にすでに達している場合は印刷不可と判断し、印刷は行わずに、印刷ができない旨を表示部に表示する（Ｓ５０６）。【選択図】  図５
2004282384.tif 000002
【特許請求の範囲】
【請求項１】
コンテンツデータの配信を受け、ユーザーにより選択されたコンテンツデータに対し所定の処理を行う通信端末装置であって、
前記コンテンツデータに対する前記所定の処理に設けられている制限の情報を取得する取得手段と、
前記制限の情報に基づき前記コンテンツデータに対する前記所定の処理の可否を判断する判断手段と、
前記判断手段により前記コンテンツデータに対する前記所定の処理が不可と判断されたとき、その旨をユーザーに通知する通知手段と
を有することを特徴とする通信端末装置。
【請求項２】
前記所定の処理は、印刷処理または電子メール送信処理の少なくともいずれかを含むことを特徴とする請求項１に記載の通信端末装置。
【請求項３】
コンテンツデータの配信を受け、ユーザーにより選択されたコンテンツデータに対し所定の処理を行う通信端末装置の制御方法であって、
前記コンテンツデータに対する前記所定の処理に設けられている制限の情報を取得する取得ステップと、
前記制限の情報に基づき前記コンテンツデータに対する前記所定の処理の可否を判断する判断ステップと、
前記判断ステップにより前記コンテンツデータに対する前記所定の処理が不可と判断されたとき、その旨をユーザーに通知する通知ステップと
を有することを特徴とする通信端末装置の制御方法。
【請求項４】
コンテンツデータの配信を受け、ユーザーにより選択されたコンテンツデータに対し所定の処理を行う通信端末装置を制御するためのプログラムであって、
前記コンテンツデータに対する前記所定の処理に設けられている制限の情報を取得する取得ステップ、
前記制限の情報に基づき前記コンテンツデータに対する前記所定の処理の可否を判断する判断ステップ、
前記判断ステップにより前記コンテンツデータに対する前記所定の処理が不可と判断されたとき、その旨をユーザーに通知する通知ステップ、
を実行させるためのプログラム。
【請求項５】
請求項４に記載のプログラムを格納したコンピュータ読み取り可能な記憶媒体。
【請求項６】
コンテンツデータの配信を受け、そのコンテンツデータに対する複数種類の処理のうちいずれかを選択的に行う通信端末装置であって、
前記コンテンツデータに対する各処理に設けられている制限の情報を取得する取得手段と、
前記制限の情報に基づき前記コンテンツデータに対する各処理の可否を判断する判断手段と、
前記判断手段により不可と判断された処理を除いた各処理をメニューとしてユーザーに対し表示する表示制御手段と
を有することを特徴とする通信端末装置。
【請求項７】
前記複数種類の処理は、印刷処理または電子メール送信処理の少なくともいずれかを含むことを特徴とする請求項６に記載の通信端末装置。
【請求項８】
コンテンツデータの配信を受け、そのコンテンツデータに対する複数種類の処理のうちいずれかを選択的に行う通信端末装置の制御方法であって、
前記コンテンツデータに対する各処理に設けられている制限の情報を取得する取得ステップと、
前記制限の情報に基づき前記コンテンツデータに対する各処理の可否を判断する判断ステップと、
前記判断ステップにより不可と判断された処理を除いた各処理をメニューとしてユーザーに対し表示する表示制御ステップと
を有することを特徴とする通信端末装置の制御方法。
【請求項９】
コンテンツデータの配信を受け、そのコンテンツデータに対する複数種類の処理のうちいずれかを選択的に行う通信端末装置を制御するためのプログラムであって、
前記コンテンツデータに対する各処理に設けられている制限の情報を取得する取得ステップ、
前記制限の情報に基づき前記コンテンツデータに対する各処理の可否を判断する判断ステップ、
前記判断ステップにより不可と判断された処理を除いた各処理をメニューとしてユーザーに対し表示する表示制御ステップ、
を実行させるためのプログラム。
【請求項１０】
請求項９に記載のプログラムを格納したコンピュータ読み取り可能な記憶媒体。
【発明の詳細な説明】
【０００１】
【発明の属する技術分野】
本発明は、コンテンツデータの配信を受ける通信端末装置の制御技術に関する。
【０００２】
【従来の技術】
従来より、ネットワークに接続されたサーバにある各種コンテンツ（音楽データや画像、テキスト情報など）をネットワークを介してサーバから取得することのできるシステムが構築されている。かかるシステムにおいては、コンテンツが有料のものや著作権で管理されている場合がある。このようなコンテンツの配信を受けた場合には、そのコンテンツを電子メール機能等を用いてさらに外部の端末に送信することができないなど、端末でのコンテンツデータに係る特定の処理や操作に制限が設けられるものがある。
【０００３】
例えば、携帯電話端末の着信メロディデータなどは一般に、配信元の著作権を保護するためにメール機能等による着信メロディデータの送信が禁止されている。これは、携帯電話端末が、着信メロディのダウンロード時に配信元からその着信メロディの属性情報も併せて取得し、その属性情報を基に、その着信メロディのメールによる送信処理を禁止する、というものである。
【０００４】
また、上記したようなメール送信処理を常に禁止するコンテンツの他に、使用（印刷など特定の処理にまわすこと）の回数や有効期限に制限を設けたコンテンツもある。例えば、印刷回数の制限が規定されているコンテンツの場合、実際に印刷した回数が規定印刷回数以下であればユーザーによる印刷指示どおりに印刷が行われる。また、使用の有効期限が設けられているコンテンツの場合、その期限がくるまではユーザーの指示に従い使用が可能である。そして、これらの規定回数や有効期限を超えてしまうと、使用が禁止されることになる。
【０００５】
【発明が解決しようとする課題】
しかしながら、従来の通信端末装置では、このようなコンテンツに対する使用について、装置の状態や適切な操作手順がユーザーに提供されないという問題があった。
【０００６】
そこで、本発明は、使用に制限が設けられているコンテンツデータに対し、その使用に係る装置の状態や適切な操作手順をユーザーに提供することができるようにすることを目的とする。
【０００７】
【課題を解決するための手段】
本発明の一側面によれば、コンテンツデータの配信を受け、ユーザーにより選択されたコンテンツデータに対し所定の処理を行う通信端末装置であって、前記コンテンツデータに対する前記所定の処理に設けられている制限の情報を取得する取得手段と、前記制限の情報に基づき前記コンテンツデータに対する前記所定の処理の可否を判断する判断手段と、前記判断手段により前記コンテンツデータに対する前記所定の処理が不可と判断されたとき、その旨をユーザーに通知する通知手段とを有することを特徴とする通信端末装置が提供される。
【０００８】
本発明の他の側面によれば、コンテンツデータの配信を受け、そのコンテンツデータに対する複数種類の処理のうちいずれかを選択的に行う通信端末装置であって、前記コンテンツデータに対する各処理に設けられている制限の情報を取得する取得手段と、前記制限の情報に基づき前記コンテンツデータに対する各処理の可否を判断する判断手段と、前記判断手段により不可と判断された処理を除いた各処理をメニューとしてユーザーに対し表示する表示制御手段とを有することを特徴とする通信端末装置が提供される。
【０００９】
【発明の実施の形態】
以下、図面を参照して本発明の好適な実施形態について詳細に説明する。
【００１０】
図１は、実施形態における通信端末装置としてのファクシミリ装置２０２の構成を示すブロック図である。実施形態におけるファクシミリ装置２０２は、ファクシミリ（ＦＡＸ）通信機能の他、ネットワークを経由してサーバからコンテンツデータをダウンロードして印刷したり、電子メール（以下、単に「メール」という。）により送信する機能を備える。
【００１１】
１０１は原稿を光学的に読み取って画像データに変換する画像読み取り部、
１０２はファクシミリ装置全体の制御を行うＣＰＵ、
１０３はＣＰＵ１０２の動作プログラムを格納するＲＯＭ、
１０４はＣＰＵ１０２のワークメモリとなったり受信したデータを格納したりするＲＡＭ、
１０５は画像読み取り部１０１で読み取ったり通信回線経由で受信して得た画像データをプリントする記録部、
１０６はビットマップデータの表示が可能な表示部、
１０７はユーザーがキーなどでファクシミリの操作を行う操作部、
１０８は通信回線経由でデータの送受信を行うためのデータモデム、
１０９は通信回線経由でファクシミリの送受信を行うためのＦＡＸモデム、
１１０は通信回線から受信するデータをデータモデム１０８またはＦＡＸモデム１０９に振り分けるためのクロスポイントスイッチである。
【００１２】
図２は、上記のファクシミリ装置２０２を含むネットワークシステムの構成および、ファクシミリ装置２０２によるコンテンツのダウンロード処理のシーケンスを示す図である。
【００１３】
２０１はコンテンツサーバで、ページ情報など、クライアントとの間で情報を更新するＷｅｂサーバ２０５と、印刷用画像データなど、各種コンテンツをもつダウンロード（ＤＬ）サーバ２０６とを含む。コンテンツサーバ２０１とファクシミリ装置２０２とは、公衆回線などの回線で接続され、ファクシミリ装置２０２からは、例えばダイヤルアップによりゲートウェイ（ＧＷ）２０３およびインターネット２０４を経由してＷｅｂサーバ２０５や、ＤＬサーバ２０６に接続される。
【００１４】
ファクシミリ装置２０２がＷｅｂサーバ２０５に新しいページ情報を要求すると、Ｗｅｂサーバ２０５は指定されたページ情報をファクシミリ装置２０２に送信する。ここで、ページ情報はたとえばＨＴＭＬなどマークアップ言語で記述されているものとする。ファクシミリ装置２は、ページ情報を受信すると、その情報を解読して表示用データに変換し、表示部１０６で表示する。
【００１５】
２０７は表示内容の一例を示している。表示されたページに印刷用のコンテンツがある場合、「ダウンロード」ボタンが表示され、これによりユーザーにダウンロード、プリント出力を選択させる。ここで「ダウンロード」が選択されると、そのページに書かれているコンテンツの属性を取得してダウンロードの可否判断を行う。属性情報には、たとえば、ファイル属性（ＪＰＥＧ／ＧＩＦ／ＴＥＸＴ．．．）、ファイルサイズ、縦横サイズ、解像度、フォントタイプ（明朝／ゴシック．．．）などが含まれる。ダウンロードの可否判断は例えば、ファクシミリ装置２０２で受信できる残りメモリ容量（ＲＡＭ１０４の残量）と、ダウンロードするコンテンツのファイルサイズとを比較し、ダウンロードするコンテンツのファイルサイズの方が大きければ受信不可とし、ダウンロードができない旨を表示し、その後ページ情報の表示を続行する。
【００１６】
その後、ユーザーによってダウンロードの開始が指示されると、ファクシミリ装置２０２は自身の装置性能など示す端末情報（ＵｓｅｒＡｇｅｎｔ）やパスワード情報を含むコンテンツのダウンロード要求をＷｅｂサーバ２０５に送信するとともに、ダウンロードを開始する旨の表示を出し、ユーザーに通知する。
【００１７】
Ｗｅｂサーバ２０５はファクシミリ装置２０２からダウンロードの要求を受けると、端末情報と指示内容に基づき配信の可否を判断し、配信可能であればコンテンツを選択してＤＬサーバ２０６から配信する。
【００１８】
ファクシミリ装置２０２は、配信されてくるコンテンツをダウンロード処理としてＲＡＭ１０４に格納しながら、そのコンテンツの属性情報から復元処理を行う。復元処理は、例えばコンテンツがＪＰＥＧファイルであれば、ＪＰＥＧデコーダを使って復元を行い、正しく復元できるか否かを確認する。ダウンロード処理および復元処理が終わると、復元処理の結果を確認し、正常に復元出力可能と判断した場合にはその旨をＷｅｂサーバ２０５に通知する。
【００１９】
Ｗｅｂサーバ２０５は、ファクシミリ装置２０２からダウンロードの正常復元終了通知を受けると、コンテンツが正常に復元できたものとして課金などのコンテンツ配信確定処理を行うことになる。
【００２０】
以上のようにして、ダウンロードしたコンテンツデータがファクシミリ装置２０２内のＲＡＭ１０４に蓄積される。
【００２１】
図３は、ファクシミリ装置２０２のＲＡＭ１０４のメモリマップを示した図である。
【００２２】
３０１はデコード用のバッファで、符号化されたＦＡＸ画像やダウンロードしたコンテンツの復号処理に使用するための領域である。
【００２３】
３０２はブラウザキャッシュで、サーバからのＨＴＭＬなどで記述されたページ情報を格納する領域である。以前に見たページに戻る際、再度サーバとの交信を行わずに済むように、複数ページ分格納できる領域が確保されている。ブラウザキャッシュ３０２はページ分割された所定のページ分格納されると、次ページからは古い順に上書きされる。
【００２４】
３０３はダウンロード領域で、特にダウンロードした印刷用コンテンツを格納する領域である。印刷用コンテンツはサイズが不定であること、および、無条件に上書き処理を行わせない、という理由で、ブラウザキャッシュ３０２とは領域を分けている。
【００２５】
３０４はＦＡＸ画像領域である。受信したＦＡＸ画像や送信待ちのＦＡＸ画像など、符号化されたＦＡＸ画像データが格納される。
【００２６】
３０５は留守録音や通話録音した音声データを格納する領域である。音声はデジタル変換され、さらに圧縮符号化されて格納される。
【００２７】
３０６はプレビュー用バッファである。ＦＡＸ受信画像やダウンロードした印刷用コンテンツを表示用のデータに変換して格納する際に使用する。
【００２８】
３０７はＶＲＡＭである。端末が持つ各種情報や、ブラウザがブラウザキャッシュに格納されたページ情報を解読して表示データに変換した情報、あるいはＦＡＸ受信画像やダウンロードした印刷用コンテンツを表示用のデータに変換した情報、などが格納される。ＶＲＡＭ３０７のデータは周期的に、あるいはデータが書き換えられた時に表示部に反映される。
【００２９】
そして、３０８はダウンロードしたコンテンツの管理情報を格納する領域（ＤＬコンテンツ管理情報領域）である。
【００３０】
図４は、ＤＬコンテンツ管理情報領域３０８に格納されたデータの詳細例を示す図である。
【００３１】
ＤＬコンテンツ管理情報は、ダウンロードした印刷用のコンテンツ毎に生成され、そのコンテンツに関する各種情報を動的に管理する。管理する内容は以下の通りである。
【００３２】
・コンテンツ状態：
そのコンテンツが現在未使用か使用中かを示す情報である。例えばコンテンツデータを表示用として使用している場合は使用中を示す情報が示される。
【００３３】
・コンテンツＩＤ：
ダウンロードしたコンテンツに対しユニークに割り当てられるコードで、ファイルシステムを介してダウンロードしたコンテンツファイルをオープン／クローズする際、そのファイルを指定するのに使用する。
【００３４】
・ダウンロード日時：
印刷用コンテンツをダウンロードして格納した日時を示す情報である。
【００３５】
・最大印刷回数：
そのコンテンツデータに対する印刷処理に設けられている制限の情報としての、そのコンテンツの最大印刷回数を示す情報である。この情報はダウンロード時に取得した属性情報に含まれるものであってもよいし、本装置であらかじめ規定した値でもよい。
【００３６】
・印刷回数：
印刷用コンテンツを実際に印刷した回数を示す情報である。
【００３７】
・最終印刷日時：
一番最後に行った印刷の日時を示す情報である。
【００３８】
・ファイル名：
ダウンロードしたコンテンツファイルのファイル名を示す情報である。
【００３９】
・ファイル属性：
ダウンロードしたコンテンツファイルの属性が記録される。属性としてはたとえば、ＪＰＥＧ／ＧＩＦ／ＴＥＸＴなどのファイルタイプがある。
【００４０】
・ファイルサイズ：
ダウンロードしたコンテンツのファイルサイズを示す情報である。
【００４１】
・ページ数：
ダウンロードしたコンテンツのページ数を示す情報である。
【００４２】
・フォントタイプ：
ダウンロードしたコンテンツのテキストフォントのタイプを示す情報である。フォントタイプとしてはたとえば、明朝／ゴシックなどである。
【００４３】
・縦横サイズ：
ダウンロードしたコンテンツ画像の縦横サイズを示す情報である。
【００４４】
・指定解像度：
ダウンロードしたコンテンツ画像の解像度を示す情報である。
【００４５】
・印刷サイズ：
ダウンロードしたコンテンツ画像の縦横サイズと解像度から計算された印刷サイズを示す情報である。
【００４６】
・その他：
ダウンロードしたコンテンツ画像のメール送信の可否やコンテンツデータの有効期限などの情報である。これらの情報はダウンロード時に取得した属性情報に含まれるものであってもよいし、本装置であらかじめ規定した値でもよい。
【００４７】
以上のような情報のうち「印刷回数」や「最終印刷日時」は、そのコンテンツデータを印刷する都度更新されることはいうまでもない。
【００４８】
図５は、実施形態におけるファクシミリ装置２０２の、印刷制御処理を示すフローチャートである。
【００４９】
コンテンツ一覧を表示中、一覧内のあるコンテンツデータが指定されている状態において、ステップＳ５０１では、ユーザーが操作部１０７におけるメニューキーが押下されるのを待機している。メニューキーが押されると次のステップＳ５０２に進む。
【００５０】
ステップＳ５０２では、指定されたコンテンツデータの管理情報を読み出す。次に、ステップＳ５０３で、ユーザーより印刷指示があったか否かを判断する。ここで印刷指示がなされると、ステップＳ５０４で、コンテンツデータの印刷に関する管理情報を参照して印刷可否を判断する。例えば、現在の「印刷回数」を「最大印刷回数」に照らし、現在の印刷回数が未だ最大印刷回数に達していない場合は印刷可と判断して、ステップＳ５０５に進み、印刷処理を行う。一方、現在の印刷回数が最大印刷回数にすでに達している場合は印刷不可となり、ステップＳ５０６に進み、印刷は行わずに、印刷ができない旨を表示部１０６に表示する。
【００５１】
ステップＳ５０４では、現在の「印刷回数」を「最大印刷回数」に照らして印刷可否を判断するようにしたが、コンテンツデータによってはクーポン券の如く有効期限が定められているものもあるので、こうしたコンテンツデータについての印刷可否は、端末で管理している現在日時をその有効期限に照らして判断しても良い。また、その場合、ステップＳ５０６では、有効期限が切れている旨を表示しそのコンテンツデータの削除を促すようなメッセージを表示することが好ましい。
【００５２】
図６は、実施形態におけるファクシミリ装置２０２の、メール送信制御処理を示すフローチャートである。
【００５３】
コンテンツ一覧を表示中、一覧内のあるコンテンツデータが指定されている状態において、ステップＳ６０１では、ユーザーが操作部１０７におけるメニューキーが押下されるのを待機している。メニューキーが押されると次のステップＳ６０２に進む。
【００５４】
ステップＳ６０２では、指定されたコンテンツデータの管理情報を読み出す。次に、ステップＳ６０３で、ユーザーよりメール作成指示があったか否かを判断する。ここでメール作成指示がなされると、ステップＳ６０４で、管理情報の「その他」フィールドにおける「メール送信可否」（図４を参照）を参照してメール送信が禁止されていないかどうかを判断する。メール送信が禁止されていなければ、ステップＳ６０５に進み、メール作成処理を実行する。一方、メール送信が禁止されている場合は、ステップＳ６０６に進み、メール送信ができない旨を表示部１０６に表示する。
【００５５】
なお、有効期限が定められているコンテンツデータについてのメール送信可否は、ステップＳ６０３において、端末で管理している現在日時をその有効期限に照らして判断してもよい。また、その場合、ステップＳ６０６では、有効期限が切れている旨を表示しそのコンテンツデータの削除を促すようなメッセージを表示することが好ましい。
【００５６】
コンテンツデータの印刷やメール送信に制限が設けられる場合にユーザーを適切にガイドする方法として、次のようなメニュー表示処理を行うようにしてもよい。
【００５７】
図７は、そのようなメニュー表示処理の一例を示すフローチャートである。
【００５８】
コンテンツ一覧を表示中、一覧内のあるコンテンツデータが指定されている状態において、ステップＳ７０１では、ユーザーが操作部１０７におけるメニューキーが押下されるのを待機している。なお、ここでは図示はしないがコンテンツデータに係わる操作メニューとしては「印刷」、「メール作成」、「保護」、「削除」といった項目がデフォルトメニューとして用意されているものとする。メニューキーが押されると次のステップＳ７０２に進む。
【００５９】
ステップＳ７０２では、指定されたコンテンツデータの管理情報を読み出す。次に、ステップＳ７０３で、コンテンツデータの印刷に関する管理情報を参照して印刷可否を判断する。これは図５のステップＳ５０３と同様の処理であり、例えば、現在の「印刷回数」を「最大印刷回数」に照らし、現在の印刷回数が未だ最大印刷回数に達していない場合は印刷可と判断して、ステップＳ７０５に進む。一方、現在の印刷回数が最大印刷回数にすでに達している場合は印刷不可となり、ステップＳ７０４に進む。そして、ステップＳ７０４では、メニューから「印刷」の項目を削除する。
【００６０】
次に、ステップＳ７０５で、図６のステップＳ６０４と同様に、管理情報の「その他」フィールドにおける「メール送信可否」を参照してメール送信が禁止されていないかどうかを判断する。メール送信が禁止されていなければ、そのままメニュー表示を行う。一方、メール送信が禁止されている場合は、ステップＳ７０６に進み、メニューから「メール作成」の項目を削除し、その後、メニュー表示を行う。
【００６１】
このようなメニュー表示処理により、ユーザーが指定したコンテンツデータについて操作可能なメニュー項目しか表示されないので、禁止されている処理を行うよう指示してしまうことがなくなり、これにより操作性を向上させることができる。
【００６２】
（他の実施形態）
以上、本発明の実施形態を詳述したが、本発明は、例えばシステム、装置、方法、プログラムもしくは記憶媒体等としての実施態様をとることが可能である。また、上述の実施形態では、通信端末装置としてファクシミリ装置を例に説明したが、本発明の通信端末装置はファクシミリ装置に限らず、プリンタ等にも同様に適用可能であることはいうまでもない。また、本発明の通信端末装置は、複数の機器によるシステム構成であってもよいし、また、一つの機器から構成されたものでもよい。
【００６３】
なお、本発明は、前述した実施形態の機能を実現するソフトウェアのプログラム（図５〜７のいずれかに示すフローチャートに対応したプログラム）を、システムあるいは装置に直接あるいは遠隔から供給し、そのシステムあるいは装置のコンピュータがその供給されたプログラムコードを読み出して実行することによっても達成される場合を含む。その場合、プログラムの機能を有していれば、その形態はプログラムである必要はない。
【００６４】
従って、本発明の機能処理をコンピュータで実現するために、そのコンピュータにインストールされるプログラムコード自体も本発明を実現するものである。つまり、本発明の特許請求の範囲には、本発明の機能処理を実現するためのコンピュータプログラム自体も含まれる。
【００６５】
その場合、プログラムの機能を有していれば、オブジェクトコード、インタプリタにより実行されるプログラム、ＯＳに供給するスクリプトデータ等、プログラムの形態を問わない。
【００６６】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６７】
その他、プログラムの供給方法としては、クライアントコンピュータのブラウザを用いてインターネットのホームページに接続し、そのホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるＷＷＷサーバも、本発明のクレームに含まれるものである。
【００６８】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせ、その鍵情報を使用することにより暗号化されたプログラムを実行してコンピュータにインストールさせて実現することも可能である。
【００６９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００７０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【００７１】
【発明の効果】
本発明によれば、使用に制限が設けられているコンテンツデータに対し、その使用に係る装置の状態や適切な操作手順をユーザーに提供することができる。
【図面の簡単な説明】
【図１】実施形態における通信端末装置としてのファクシミリ装置の構成を示すブロック図である。
【図２】実施形態におけるファクシミリ装置を含むネットワークシステムの構成および、ファクシミリ装置によるコンテンツのダウンロード処理のシーケンスを示す図である。
【図３】実施形態におけるファクシミリ装置のＲＡＭのメモリマップを示した図である。
【図４】ＤＬコンテンツ管理情報領域に格納されたデータの詳細例を示す図である。
【図５】実施形態におけるファクシミリ装置２０２の印刷制御処理を示すフローチャートである。
【図６】実施形態におけるファクシミリ装置２０２のメール送信制御処理を示すフローチャートである。
【図７】実施形態におけるメニュー表示処理の一例を示すフローチャートである。
【図１】
2004282384.tif 000003
【図２】
2004282384.tif 000004
【図３】
2004282384.tif 000005
【図４】
2004282384.tif 000006
【図５】
2004282384.tif 000007
【図６】
2004282384.tif 000008
【図７】
2004282384.tif 000009